(57)【要約】【課題】簡易な構成で光源の異常を検出する異常検出装置、投影装置、異常検出方法及びプログラムを提供すること。【解決手段】光源装置は、フレーム内で時分割された各セグメント期間に光を出射する光源部と、光源部から出射される光の照度値をセンサにより取得し（Ｓ２０２）、フレーム内における各セグメント期間の照度値の全てが閾値未満である場合に、光源部を異常と判定する（Ｓ２０５）検出部２７と、を備える。検出部２７は、光源部を異常と判定した場合に、光源部の動作を停止させる（Ｓ２０６，Ｓ１０３，Ｓ３０４）。【選択図】  図４
2019120811.tif 000002
【特許請求の範囲】
【請求項１】
フレーム内で時分割された各セグメント期間に光を出射する光源部から出射される光の照度値を取得する照度値取得手段と、
前記フレーム内における前記各セグメント期間に取得された前記照度値の全てが閾値未満である場合に、前記光源部を異常状態であると検出する検出手段と、
を備えることを特徴とする異常検出装置。
【請求項２】
前記照度値取得手段は、照度センサを含む、ことを特徴とする請求項１に記載の異常検出装置。
【請求項３】
前記検出手段は、前記照度値の全てが前記閾値以上である場合に、前記光源部を異常状態と判定することを特徴とする請求項１又は請求項２に記載の異常検出装置。
【請求項４】
前記検出手段は、前記照度値の全てが、前記閾値より大きく、且つ前記照度値取得手段の出力の最大値である場合に、前記光源部を異常状態と判定することを特徴とする請求項１乃至３の何れか１項に記載の異常検出装置。
【請求項５】
前記検出手段は、複数の前記照度値のパターンが、予め定めた判定パターンと異なる場合に、前記光源部を異常状態と判定することを特徴とする請求項１乃至請求項４の何れかに記載の異常検出装置。
【請求項６】
前記閾値は、徐々に低くなるように経時変化することを特徴とする請求項１乃至請求項５の何れかに記載の異常検出装置。
【請求項７】
前記検出手段は、前記光源部を異常状態と判定した場合に前記光源部の動作を停止させることを特徴とする請求項１乃至請求項６の何れかに記載の異常検出装置。
【請求項８】
前記照度値取得手段は、前記フレームに含まれる全ての前記セグメント期間に出射される光を受光可能な位置に配置される、又は、前記フレームに含まれる前記セグメント期間に出射される光のうち正常時において最も低い前記照度値の光が受光されない位置に配置されることを特徴とする請求項１乃至請求項７の何れかに記載の異常検出装置。
【請求項９】
前記光源部は、赤色波長帯域光を出射する赤色光源装置と、緑色波長帯域光を出射する緑色光源装置と、青色波長帯域光を出射する青色光源装置とを備え、
前記照度値取得手段は、前記フレームに含まれる前記セグメント期間に出射される光のうち正常時において最も低い前記照度値の前記赤色波長帯域光が受光されない位置に配置される、
ことを特徴とする請求項８に記載の異常検出装置。
【請求項１０】
前記光源部は、前記照度値が小さい赤色波長帯域光を出射する赤色光源装置と、前記照度値が前記赤色波長帯域光より大きい青色波長帯域光をレーザとして出射する青色光源装置と、前記照度値が前記青色波長帯域光より大きい緑色波長帯域光を前記レーザにより励起された蛍光光として出射する緑色光源装置と、を含み、
前記検出手段は、前記フレーム中に時分割された前記セグメント期間に、前記赤色波長帯域光、前記緑色波長帯域光及び前記青色波長帯域光の前記照度値を取得する、
ことを特徴とする請求項１乃至請求項８の何れかに記載の異常検出装置。
【請求項１１】
請求項１乃至請求項１０の何れか記載の異常検出装置と、
前記異常検出装置からの光源光が照射され、画像光を形成する表示素子と、
前記表示素子から出射された前記画像光をスクリーンに投影する投影側光学系と、
前記表示素子と前記異常検出装置を制御する制御部と、
を有することを特徴とする投影装置。
【請求項１２】
光源装置の異常検出方法であって、
前記光源装置は、
フレーム内で時分割された各セグメント期間に光を出射する発光手段と、
前記発光手段から出射される光の照度値をセンサにより取得し、前記フレーム内における前記各セグメント期間の前記照度値の全てが閾値未満である場合に、前記光源装置を異常状態であると検出する検出手段と、
を備えることを特徴とする異常検出方法。
【請求項１３】
異常検出装置が実行するプログラムであって、
フレーム内で時分割された各セグメント期間に光源部により出射された光の照度値を取得する照度値取得手段、及び、
前記フレーム内における前記各セグメント期間に取得された前記照度値の全てが閾値未満である場合に、前記光源部を異常状態として検出する検出手段、
としての機能を実行することを特徴とするプログラム。
【発明の詳細な説明】
【技術分野】
【０００１】
本発明は、異常検出装置及びこの異常検出装置を備える投影装置並びに異常検出方法、及びプログラムに関する。
【背景技術】
【０００２】
今日、パーソナルコンピュータの画面やビデオ画面、さらにメモリカード等に記憶されている画像データによる画像等をスクリーンに投影する画像撮影装置として、データプロジェクタが多用されている。このプロジェクタは、光源から出射された光をＤＭＤ（デジタル・マイクロミラー・デバイス）と呼ばれるマイクロミラー表示素子、又は、液晶板に集光させ、スクリーン上にカラー画像を表示させる。
【０００３】
このようなプロジェクタにおいて、内部に異常が発生した場合に光源の駆動を停止するため技術が提案されている。例えば、特許文献１の投影装置は、内部の光源側光学系上に設置した照度センサの出力値を、赤色波長帯域光の発光タイミング信号、緑色波長帯域光の発光タイミング信号、及び青色波長帯域光の発光タイミング信号と同期して取得し、色ごとに設定される異なる閾値の範囲内に照度センサの出力値が収まっていない場合に、投影装置の内部に異常が発生したと判断して光源装置の駆動を停止している。
【先行技術文献】
【特許文献】
【０００４】
【特許文献１】特開２０１３−１９７８０７号公報
【発明の概要】
【発明が解決しようとする課題】
【０００５】
しかしながら、特許文献１のプロジェクタでは、色ごとに異なる発光タイミング信号を出力させる必要があり、専用の光源駆動アッシーが必要となる場合がある。また、全ての色の光について判定を行っていることから、照度センサを設置する場所は、赤色波長帯域光、緑色波長帯域光及び青色波長帯域光の各々が入射される場所に限定されて構成に制約が生じる。さらに、色毎に上下に２つの閾値が設定されており、合計で６つの閾値が必要となる。
【０００６】
本発明は、以上の点に鑑み、簡易な構成で光源の異常を検出することを目的とする。
【課題を解決するための手段】
【０００７】
本発明の異常検出装置は、フレーム内で時分割された各セグメント期間に光を出射する光源部から出射される光の照度値を取得する照度値取得手段と、前記フレーム内における前記各セグメント期間に取得された前記照度値の全てが閾値未満である場合に、前記光源部を異常状態であると検出する検出手段と、を備えることを特徴とする。
【０００８】
本発明の投影装置は、上述の異常検出装置と、前記異常検出装置からの光源光が照射され、画像光を形成する表示素子と、前記表示素子から出射された前記画像光をスクリーンに投影する投影側光学系と、前記表示素子と前記異常検出装置を制御する制御部と、を有することを特徴とする。
【０００９】
本発明の異常検出方法は、光源装置の異常検出方法であって、前記光源装置は、フレーム内で時分割された各セグメント期間に光を出射する発光手段と、前記発光手段から出射される光の照度値をセンサにより取得し、前記フレーム内における前記各セグメント期間の前記照度値の全てが閾値未満である場合に、前記光源装置を異常状態であると検出する検出手段と、を備えることを特徴とする。
【００１０】
本発明のプログラムは、異常検出装置が実行するプログラムであって、フレーム内で時分割された各セグメント期間に光源部により出射された光の照度値を取得する照度値取得手段、及び、前記フレーム内における前記各セグメント期間に取得された前記照度値の全てが閾値未満である場合に、前記光源部を異常状態として検出する検出手段、としての機能を実行することを特徴とする。
【発明の効果】
【００１１】
本発明によれば、簡易な構成で光源の異常を検出することができる。
【図面の簡単な説明】
【００１２】
【図１】本発明の実施形態１に係る投影装置を示す外観斜視図である。
【図２】本発明の実施形態１に係る投影装置の機能ブロックを示す図である。
【図３】本発明の実施形態１に係る投影装置の内部構造を示す平面模式図である。
【図４】本発明の実施形態１に係る投影装置のシーケンスを示す図である。
【図５】本発明の実施形態１に係る投影装置のタイミング信号と照度センサの出力のタイムチャートを示す図である。
【図６】本発明の実施形態２に係る投影装置のシーケンスを示す図である。
【図７】本発明の実施形態２の変形例に係る投影装置のタイミング信号と照度センサの出力のタイムチャートを示す図である。
【図８】本発明の実施形態３に係る投影装置のシーケンスを示す図である。
【発明を実施するための形態】
【００１３】
（実施形態１）
以下、本発明を実施するための形態について述べる。図１は、本実施形態に係る投影装置１０の外観斜視図である。なお、本実施形態において、投影装置１０における左右とは投影方向に対しての左右方向を示し、前後とは投影装置１０のスクリーン側方向及び光線束の進行方向に対しての前後方向を示す。
【００１４】
投影装置１０は、図１に示すように、略直方体形状であって、筐体の前方の側板である正面パネル１２の側方に投影口を覆うレンズカバー１９を有すると共に、この正面パネル１２には複数の吸気孔１８や排気孔１７を設けている。さらに、図示しないがリモートコントローラからの制御信号を受信するＩｒ受信部を備えている。
【００１５】
また、筐体の上面パネル１１にはキー／インジケータ部３７が設けられ、このキー／インジケータ部３７には、電源スイッチキーや電源のオン又はオフを報知するパワーインジケータ、投影のオン、オフを切りかえる投影スイッチキー、光源ユニットや表示素子又は制御回路等が過熱したときに報知する過熱インジケータ等のキーやインジケータが配置されている。
【００１６】
さらに、筐体の背面パネルには、ＵＳＢ端子や画像信号入力用のＤ−ＳＵＢ端子、Ｓ端子、ＲＣＡ端子等を設ける入出力コネクタ部及び電源アダプタプラグ等の各種端子２０が設けられている。また、背面パネルには、複数の吸気孔が形成されている。なお、筐体の側板である図示しない右側パネル、及び、図１に示した側板である左側パネル１５には、各々複数の排気孔１７が形成されている。また、左側パネル１５の背面パネル近傍の隅部には、吸気孔１８が形成されている。
【００１７】
次に、投影装置１０について、図２の機能ブロック図を用いて述べる。投影装置１０は、制御部３８、入出力インターフェース２２、画像変換部２３、表示エンコーダ２４、表示駆動部２６等から構成される。入出力コネクタ部２１から入力された各種規格の画像信号は、入出力インターフェース２２、システムバス（ＳＢ）を介して画像変換部２３で表示に適した所定のフォーマットの画像信号に統一するように変換された後、表示エンコーダ２４に出力される。
【００１８】
表示エンコーダ２４は、入力された画像信号をビデオＲＡＭ２５に展開記憶させた上でこのビデオＲＡＭ２５の記憶内容からビデオ信号を生成して表示駆動部２６に出力する。
【００１９】
表示駆動部２６は、表示素子制御部として機能するものである。表示駆動部２６は、表示エンコーダ２４から出力された画像信号に対応したフレームレートで空間的光変調素子（ＳＯＭ）である表示素子５１を駆動する。そして、投影装置１０は、光源装置６０から出射された光線束を、導光光学系を介して表示素子５１に照射する。また投影装置１０は表示素子５１で照射された光線束を反射することによって光像を形成し、後述する投影側光学系を介して図示しないスクリーンに画像を投影表示する。なお、この投影側光学系の可動レンズ群２３５は、レンズモータ４５によりズーム調整やフォーカス調整のための駆動が行われる。
【００２０】
画像圧縮／伸長部３１は、画像信号の輝度信号及び色差信号をＡＤＣＴ及びハフマン符号化等の処理によりデータ圧縮して着脱自在な記録媒体とされる記憶部３２に順次書き込む記録処理を行う。さらに、画像圧縮／伸長部３１は、再生モード時に記憶部３２に記録された画像データを読み出し、一連の動画を構成する個々の画像データを１フレーム単位で伸長する。画像圧縮／伸長部３１は、その画像データを、画像変換部２３を介して表示エンコーダ２４に出力し、記憶部３２に記憶された画像データに基づいて動画等の表示を可能とする処理を行う。また、記憶部３２には、制御部３８や検出部２７が実行する光源装置６０の異常検出用のプログラムを記憶することができる。そのため、光源装置６０は、異常検出装置として機能する。
【００２１】
制御部３８は、投影装置１０内の各回路の動作制御を司るものであって、ＣＰＵや各種セッティング等の動作プログラムを固定的に記憶したＲＯＭ及びワークメモリとして使用されるＲＡＭ等により構成されている。
【００２２】
筐体の上面パネル１１に設けられるメインキー及びインジケータ等により構成されるキー／インジケータ部３７の操作信号は、直接に制御部３８に送出される。リモートコントローラからのキー操作信号は、Ｉｒ受信部３５で受信され、Ｉｒ処理部３６でコード信号に復調された後、制御部３８に出力される。
【００２３】
制御部３８は、システムバス（ＳＢ）を介して音声処理部４７と接続されている。この音声処理部４７は、ＰＣＭ音源等の音源回路を備えており、投影モード及び再生モード時には音声データをアナログ化し、スピーカ４８を駆動して拡声報音させる。
【００２４】
また、制御部３８は、光源制御手段としての光源制御部４１を制御している。光源制御部４１は、画像生成時に要求される所定波長帯域の光が光源装置６０から出射されるように、光源装置６０の励起光照射装置７０（図３参照）の動作を個別に制御する。また、光源制御部４１は、制御部３８の指示により、投影モードに応じて、蛍光体ホイール１０１等の同期のタイミングを制御する。
【００２５】
さらに、制御部３８は、冷却ファン駆動制御回路４３に光源装置６０等に設けた複数の温度センサによる温度検出を行わせ、この温度検出の結果から冷却ファンの回転速度を制御させている。また、制御部３８は、冷却ファン駆動制御回路４３にタイマー等により投影装置１０本体の電源のＯＦＦ後も冷却ファンの回転を持続させる、あるいは、温度センサによる温度検出の結果によっては投影装置１０本体の電源をＯＦＦにする等の制御を行う。
【００２６】
検出手段である検出部２７は、光源装置６０が出射する赤色波長帯域光Ｌ１、緑色波長帯域光Ｌ２及び青色波長帯域光Ｌ３を検出し、光源装置６０に異常が発生したか否かの判定を行う。
【００２７】
図３は、投影装置１０の内部構造を示す平面模式図である。投影装置１０は、右側パネル１４の近傍に制御回路基板２４１を備えている。この制御回路基板２４１は、電源回路ブロックや光源制御ブロック等を備えている。また、投影装置１０は、投影装置１０の筐体の略中央部分に光源装置６０を備えている。さらに、投影装置１０には、光源装置６０と左側パネル１５との間に、光源側光学系１７０や投影側光学系２２０を備えている。
【００２８】
光源装置６０は、発光手段として光源部である励起光照射装置７０、緑色光源装置８０及び赤色光源装置１２０を備える。緑色光源装置８０は、励起光照射装置７０及び蛍光ホイール装置１００により形成される。励起光照射装置７０は、青色波長帯域光を出射する青色光源装置である。蛍光ホイール装置１００は緑色波長帯域光を出射する。赤色光源装置１２０は赤色波長帯域光を出射する。光源装置６０には、各色波長帯域光を導光して出射する導光光学系１４０が配置される。導光光学系１４０は、励起光照射装置７０、蛍光ホイール装置１００及び赤色光源装置１２０から出射される各色波長帯域光を光源側光学系１７０へ導光する。
【００２９】
励起光照射装置７０は、投影装置１０の筐体の左右方向における略中央部分であって背面パネル１３近傍に配置される。そして、励起光照射装置７０は、背面パネル１３と光軸が平行になるよう配置された複数の半導体発光素子である青色レーザダイオード７１から成る光源群（励起光源）、各青色レーザダイオード７１からの出射光の光軸を正面パネル１２方向に９０度変換する反射ミラー群７５、及び、青色レーザダイオード７１と右側パネル１４との間に配置されたヒートシンク８１等を備える。
【００３０】
光源群は、複数の青色レーザダイオード７１がマトリクス状に配置されて形成される。本実施形態の例では、図３の上下方向を行、紙面に垂直な方向を列として、左側パネル１５側から見た側面視２行３列のマトリクス状に合計６個の青色レーザダイオード７１が配置される。
【００３１】
各青色レーザダイオード７１の光軸上には、各青色レーザダイオード７１から出射される青色波長帯域光の指向性を高めるように平行光に変換する複数のコリメータレンズ７３が配置される。反射ミラー群７５は、複数の反射ミラーが階段状に配置されてミラー基盤と一体化して形成される。反射ミラー群７５は、青色レーザダイオード７１から出射される光線束を一方向に縮小して第一ダイクロイックミラー１４１へ向けて出射させる。
【００３２】
ヒートシンク８１と背面パネル１３との間には冷却ファン２６１が配置されており、この冷却ファン２６１とヒートシンク８１とによって青色レーザダイオード７１が冷却される。さらに、反射ミラー群７５と背面パネル１３との間にも冷却ファン２６１が配置されており、この冷却ファン２６１によって反射ミラー群７５等が冷却される。
【００３３】
蛍光ホイール装置１００は、励起光照射装置７０から出射される励起光の光路上であって、正面パネル１２の近傍に配置される。蛍光ホイール装置１００は、蛍光体ホイール１０１、モータ１１０、集光レンズ群１１１、集光レンズ１１５を備える。
【００３４】
蛍光体ホイール１０１は、正面パネル１２と略平行となるように、つまり、励起光照射装置７０からの出射光の光軸と直交するように配置される。モータ１１０は、蛍光体ホイール１０１を回転駆動させる。集光レンズ群１１１は、励起光照射装置７０から出射される励起光を蛍光体ホイール１０１に集光させるとともに蛍光体ホイール１０１から背面パネル１３方向に出射される蛍光光を集光する。集光レンズ１１５は、蛍光体ホイール１０１から正面パネル１２方向に出射される蛍光光を集光する。なお、モータ１１０の正面パネル１２側には冷却ファン２６１が配置されており、この冷却ファン２６１によって蛍光ホイール装置１００等が冷却される。
【００３５】
蛍光体ホイール１０１は略円盤状に形成される。蛍光体ホイール１０１の中心軸はモータ１１０の軸部に固定される。蛍光体ホイール１０１の基材は銅やアルミニウム等の金属により形成することができる。励起光照射装置７０側の基材の表面は銀蒸着等によってミラー加工された反射面となっている。蛍光体ホイール１０１の外周縁近傍には、励起光の入射側に、緑色波長帯域光を出射する蛍光発光領域と青色波長帯域光を透過する透過領域とが周方向に並設される。
【００３６】
蛍光発光領域には緑色蛍光体である蛍光体層が形成される。蛍光体層は、ミラー加工された蛍光体ホイール１０１の反射面上に形成される。透過領域は、半円弧状に形成される。透過領域は、例えば、蛍光体ホイール１０１の基材の外周縁部に形成された切欠き部に、透光性を有する透明基材が嵌入されて形成される。
【００３７】
蛍光体層は、励起光照射装置７０から出射された青色波長帯域光が照射されると、緑色波長帯域光の蛍光光を出射する。透過領域は、励起光照射装置７０から出射された青色波長帯域光が照射されると、その光を拡散させて蛍光体ホイール１０１の表側から裏側へ向かって透過させる。
【００３８】
赤色光源装置１２０には、青色レーザダイオード７１と光軸が平行となるように配置された赤色光源１２１と、赤色光源１２１からの出射光を集光する集光レンズ群１２５と、が設けられる。赤色光源１２１は、赤色波長帯域光を出射する半導体発光素子である発光ダイオードである。また、赤色光源装置１２０は、赤色光源装置１２０が出射する赤色波長帯域光の光軸が、蛍光体ホイール１０１から出射される緑色波長帯域光の光軸と交差するように配置される。また、赤色光源装置１２０は、赤色光源１２１の右側パネル１４側にヒートシンク１３０を備える。このヒートシンク１３０と正面パネル１２との間には冷却ファン２６１が配置されている。赤色光源１２１は、この冷却ファン２６１及びヒートシンク１３０によって冷却される。
【００３９】
導光光学系１４０は、ダイクロイックミラー（第一ダイクロイックミラー１４１，第二ダイクロイックミラー１４８）、各色波長帯域の光線束の光軸を変換して同一の光軸とさせる反射ミラー（第一反射ミラー１４３，第二反射ミラー１４５）、各色波長帯域の光線束を集光させる集光レンズ１４６，１４７，１４９等からなる。以下、各部材について説明する。
【００４０】
第一ダイクロイックミラー１４１は、反射ミラー群７５と集光レンズ群１１１との間の位置に配置される。赤色光源１２１が出射する赤色波長帯域光は第一ダイクロイックミラー１４１を透過し、蛍光体ホイール１０１から出射される緑色波長帯域光は第一ダイクロイックミラー１４１を反射するため、赤色波長帯域光と緑色波長帯域光は集光レンズ１４９に向かって同一光路となる。
【００４１】
蛍光体ホイール１０１を透過して出射された青色波長帯域光の光軸上、つまり、集光レンズ１１５と正面パネル１２との間には、第一反射ミラー１４３が配置される。
【００４２】
第一反射ミラー１４３は、青色波長帯域光を反射して、集光レンズ１４６へ導光する。集光レンズ１４６は、第一反射ミラー１４３の左側パネル１５側に配置される。第二反射ミラー１４５は、集光レンズ１４６の左側パネル１５側に配置される。第二反射ミラー１４５は、集光レンズ１４６から入射される青色波長帯域光の光軸を背面パネル１３側に９０度変換する。
【００４３】
集光レンズ１４７は、第二反射ミラー１４５の背面パネル１３側に配置される。また、第二ダイクロイックミラー１４８は、集光レンズ１４９の左側パネル１５側であって、集光レンズ１４７の背面パネル１３側に配置される。第二ダイクロイックミラー１４８は、緑色波長帯域光及び赤色波長帯域光を反射し、青色波長帯域光を透過させる。
【００４４】
集光レンズ１４７により集光された青色波長帯域光は、第二ダイクロイックミラー１４８を透過して、光源側光学系１７０の集光レンズ１７３に集光される。
【００４５】
また、集光レンズ１４９は、第一ダイクロイックミラー１４１の左側パネル１５側に配置される。第一ダイクロイックミラー１４１において反射された緑色波長帯域光及び透過した赤色波長帯域光は、集光レンズ１４９に導光される。集光レンズ１４９に入射して集光された緑色波長帯域光及び赤色波長帯域光は、第二ダイクロイックミラー１４８により反射され、光源側光学系１７０の集光レンズ１７３に集光される。こうして、赤色波長帯域光、緑色波長帯域光及び青色波長帯域光が光源側光学系１７０に導光される。
【００４６】
光源側光学系１７０は、集光レンズ１７３、ライトトンネル１７５、集光レンズ１７８、光軸変換ミラー１８１、集光レンズ１８３、照射ミラー１８５、コンデンサレンズ１９５等により構成されている。なお、コンデンサレンズ１９５は、コンデンサレンズ１９５の背面パネル１３側に配置される表示素子５１から出射された画像光を投影側光学系２２０に向けて出射するので、投影側光学系２２０の一部でもある。
【００４７】
集光レンズ１７３は、ライトトンネル１７５の入射口の近傍に配置され、光源光を集光する。集光レンズ１７３により集光された各色波長帯域光は、ライトトンネル１７５に向かって出射される。
【００４８】
光軸変換ミラー１８１は、ライトトンネル１７５の背面パネル１３側の光軸上である、集光レンズ１７８の後方に配置される。ライトトンネル１７５の出射口から出射した光線束は、集光レンズ１７８で集光された後、光軸変換ミラー１８１により、左側パネル１５側に光軸を変換される。また、光軸変換ミラー１８１の裏面には、照度値取得手段である照度センサ９０が配置される。照度センサ９０は、光軸変換ミラー１８１に導光されて反射される光の漏れ光又は間接光が照度センサ９０に入射するような位置に設置される。つまり、照度センサ９０は、赤色波長帯域光、緑色波長帯域光及び青色波長帯域光を受光可能な位置に配置される。
【００４９】
光軸変換ミラー１８１で反射した光線束は、集光レンズ１８３により集光された後、照射ミラー１８５により、コンデンサレンズ１９５を介して表示素子５１に所定の角度で照射される。なお、本実施形態では、表示素子５１としてＤＭＤを使用している。表示素子５１は、背面パネル１３側に設けられたヒートシンク１９０により冷却される。
【００５０】
光源側光学系１７０により表示素子５１の画像形成面に照射された光源光である光線束は、表示素子５１の画像形成面で反射され、投影光として投影側光学系２２０を介してスクリーンに投影される。ここで、投影側光学系２２０は、コンデンサレンズ１９５、可動レンズ群２３５、固定レンズ群２２５等により構成される。可動レンズ群２３５は、レンズモータにより移動可能に形成される。そして、可動レンズ群２３５及び固定レンズ群２２５は、固定鏡筒に内蔵される。よって、可動レンズ群２３５を備える固定鏡筒は、可変焦点型レンズを備え、ズーム調節やフォーカス調節が可能に形成される。
【００５１】
このように投影装置１０を構成することで、蛍光体ホイール１０１を回転させるとともに励起光照射装置７０及び赤色光源装置１２０から適宜のタイミングで光を出射すると、赤色、緑色及び青色の各波長帯域光が導光光学系１４０及び光源側光学系１７０を介して表示素子５１に入射される。そのため、投影装置１０の表示素子５１であるＤＭＤがデータに応じて各色の光を時分割表示することにより、スクリーンにカラー画像を投影することができる。
【００５２】
次に、光源装置６０の異常検出方法について説明する。まず、本実施形態における光源装置６０の光学部材等の位置ずれや取り出し等の異常判定の概要を説明する。本実施形態では、図３に示したように、光源装置６０から出射された赤色波長帯域光、緑色波長帯域光及び青色波長帯域光の一部が、光路上（例えば図３の光源側光学系１７０の光路上）に設置された照度センサ９０に照射される。そして、その照度センサ９０により検出された照度は、図２に示す検出部２７にデジタル値として渡される。検出部２７は、そのデジタル値を基にして光源装置６０が異常であるか否かについて判定を行う。その結果、検出部２７が光源装置６０を異常状態であると判定した場合に、制御部３８が光源制御部４１を介して光源装置６０を停止させる。
【００５３】
図４は、検出部２７が行う異常判定処理のシーケンスを示す図である。また、図５は、投影装置１０のタイミング信号と照度センサ９０の出力のタイムチャートを示す図である。
【００５４】
まず、ステップＳ１０１で、制御部３８は、タイミング信号ａ１１，ａ１２（ａ１）を検出部２７及び光源制御部４１に送信する。タイミング信号ａ１とは、時分割光発生器を実現する機能として用いられ、光源装置６０が出射する光を、赤色波長帯域光から緑色波長帯域光へ、緑色波長帯域光から青色波長帯域光へ、又は青色波長帯域光から赤色波長帯域光へ、切り替えるためのトリガーとなる信号である。そのため、制御部３８は、タイミング信号ａ１１，ａ１２（ａ１）により赤色波長帯域光Ｌ１、緑色波長帯域光Ｌ２及び青色波長帯域光Ｌ３の出射のタイミングを制御する。
【００５５】
また、照度センサ９０は、このタイミング信号ａ１の立ち上りに同期して、照度値Ｖ１，Ｖ２，Ｖ３を取得することができる。なお、本実施形態におけるタイミング信号ａ１のみではいずれの波長帯域の光を出射させる指示であるかの区別はないが、光源装置６０が出射する光の波長帯域の順は予め定められている。タイミング信号ａ１は、例えば図５に示すように、パルス波であり、初期状態では最初のフレームＦ１のタイミングＴ１１において送信される。
【００５６】
ステップＳ３０１で、光源制御部４１は、制御部３８からセグメント切り替えのタイミング信号ａ１１をトリガーとして受信すると、ステップＳ３０２の処理に進む。ステップＳ３０２で、光源制御部４１は、赤色波長帯域光、緑色波長帯域光及び青色波長帯域光のいずれかを出射するように、光源装置６０の駆動を指示する。例えば、図５において、タイミングＴ１１でタイミング信号ａ１１を受信した光源制御部４１は、図３の赤色光源装置１２０から赤色波長帯域光Ｌ１を出射するように発光指示をする。また、光源制御部４１は、タイミングＴ１３でタイミング信号ａ１１を受信すると緑色波長帯域光Ｌ２を出射するように発光指示をし、タイミングＴ１５でタイミング信号ａ１１を受信すると青色波長帯域光Ｌ３を出射するように発光指示する。
【００５７】
ステップＳ２０１で、検出部２７は、タイミング信号ａ１２を受信すると、ステップＳ２０２の処理に進む。
【００５８】
ステップＳ２０２で、検出部２７は、タイミング信号ａ１２を受信してから予め定めた遅延時間の経過後、赤色波長帯域光Ｌ１、緑色波長帯域光Ｌ２又は青色波長帯域光Ｌ３のいずれかを受信して、照度値Ｖ１，Ｖ２，Ｖ３を取得する。図５に示したタイミングＴ１２，Ｔ１４，Ｔ１６は、各々タイミングＴ１１，Ｔ１３，Ｔ１５からの遅延時間が経過したタイミングである。光源装置６０が赤色波長帯域光Ｌ１を出射している図５のセグメント期間Ｐ１１では、検出部２７は、タイミングＴ１２に赤色波長帯域光Ｌ１の照度値Ｖ１を取得する。また、検出部２７は、セグメント期間Ｐ１２ではタイミングＴ１４に緑色波長帯域光Ｌ２の照度値Ｖ２を取得し、セグメント期間Ｐ１３ではタイミングＴ１６に青色波長帯域光Ｌ３の照度値Ｖ３を取得する。
【００５９】
ステップＳ２０３で、検出部２７は、ステップＳ２０２で取得した照度をＡＤ（アナログ−デジタル）変換したデジタル値として記憶部３２に記憶する。
【００６０】
ステップＳ２０４で、検出部２７は、１フレーム分以上の照度値を記憶部３２に記憶したか判定する。検出部２７は、１フレーム分以上の照度値を記憶していない場合（Ｓ２０４，Ｎ）ステップＳ２０１の処理に戻り、１フレーム分の照度値を記憶した場合（Ｓ２０４，Ｙ）、ステップＳ２０５の処理に進む。
【００６１】
１フレーム分以上の照度値を記憶していない場合（Ｓ２０４，Ｎ）、検出部２７は、再びタイミング信号ａ１２を受信して、ステップＳ２０１〜Ｓ２０４の処理を繰り返すことにより、緑色波長帯域光Ｌ２と青色波長帯域光Ｌ３の照度値Ｖ２，Ｖ３を取得する。
【００６２】
ステップＳ２０５で、検出部２７は、一つのフレーム内の照度値Ｖ１，Ｖ２，Ｖ３が全て閾値Ｖｒｅｆ未満であるか判定する。検出部２７は、フレーム内の照度値が全て閾値Ｖｒｅｆ未満でない場合（Ｓ２０５，Ｎ）、ステップＳ２０１の処理に戻り、フレーム内の照度値が全て閾値Ｖｒｅｆ未満である場合（Ｓ２０５，Ｙ）、ステップＳ２０６の処理に進む。図５のフレームＦ１の例では、フレームＦ１内の赤色波長帯域光Ｌ１の照度値Ｖ１が閾値Ｖｒｅｆ未満で、緑色波長帯域光Ｌ２の照度値Ｖ２及び青色波長帯域光Ｌ３の照度値Ｖ３が閾値Ｖｒｅｆ未満でないため、検出部２７はステップＳ２０１の処理に戻る。
【００６３】
ステップＳ２０６で、検出部２７は、制御部３８対して光源が異常状態であることを示す異常判定結果ａ２を送信する。
【００６４】
ステップＳ１０２で、制御部３８は、検出部２７から異常判定結果ａ２を受信したか判定する。制御部３８は、異常判定結果ａ２を受信しない場合（Ｓ１０２，Ｎ）、ステップＳ１０１の処理に戻り、異常判定結果ａ２を受信した場合（Ｓ１０２，Ｙ）、ステップＳ１０３の処理に進む。
【００６５】
ステップＳ１０３で、制御部３８は、光源制御部４１に対し光源装置６０の発光動作を停止させるための光源停止指示ａ３を送信する。
【００６６】
ステップＳ３０３で、光源制御部４１は、制御部３８から光源停止指示ａ３を受信したか判定する。光源制御部４１は、光源停止指示ａ３を受信していない場合（Ｓ３０３，Ｎ）、ステップＳ３０１の処理に戻り、光源停止指示ａ３を受信した場合（Ｓ３０３，Ｙ）、ステップＳ３０４の処理に進む。ステップＳ３０４で、光源制御部４１は、光源装置６０の光の出射動作を停止する。
【００６７】
以上、本実施形態では、フレーム内において２つに時分割された各セグメント期間に出射される光の照度値を、一つの閾値Ｖｒｅｆを用いて異常判定をおこなうため、簡易な構成で光源装置６０の異常を検出することができる。
【００６８】
（実施形態２）
次に、実施形態２について説明する。図６は、実施形態２に係る投影装置１０のシーケンスを示す図である。本実施形態では、図４に示した検出部２７のステップＳ２０５の代わりに、ステップＳ２０５ａ及びステップＳ２０５ｂの処理を行っている。なお、図４と同様の構成については、同一の符号を付し、その説明を省略又は簡略化する。
【００６９】
ステップＳ２０５ａで、検出部２７は、フレーム内の照度値Ｖ１，Ｖ２，Ｖ３が全て閾値Ｖｒｅｆ未満であるか判定する。検出部２７は、フレーム内の照度値Ｖ１，Ｖ２，Ｖ３が全て閾値Ｖｒｅｆ未満でない場合（ステップＳ２０５，Ｎ）ステップＳ２０５ｂの処理に進み、フレーム内の照度値Ｖ１，Ｖ２，Ｖ３が全て閾値Ｖｒｅｆ未満である場合（Ｓ２０５，Ｙ）ステップＳ２０６の処理に進む。
【００７０】
ステップＳ２０５ｂで、検出部２７は、フレーム内の照度値Ｖ１，Ｖ２，Ｖ３が全て閾値Ｖｒｅｆ以上であるか判定する。検出部２７は、フレーム内の照度値Ｖ１，Ｖ２，Ｖ３が全て閾値Ｖｒｅｆ以上でない場合（Ｓ２０５，Ｎ）ステップＳ２０１の処理に戻り、フレーム内の照度値Ｖ１，Ｖ２，Ｖ３が全て閾値Ｖｒｅｆ以上である場合（Ｓ２０５，Ｙ）ステップＳ２０６の処理に進む。
【００７１】
図５に示したフレームＦ１の照度値Ｖ１，Ｖ２，Ｖ３の例では、フレームＦ１内の全ての照度値Ｖ１，Ｖ２，Ｖ３が閾値Ｖｒｅｆ未満でなく（Ｓ２０５ａ，Ｎ）、かつ、フレームＦ１内の全ての照度値Ｖ１，Ｖ２，Ｖ３が閾値Ｖｒｅｆ以上でないため（Ｓ２０５，Ｎ）、検出部２７は光源装置６０が異常状態でないと判定してステップＳ２０１の処理に戻る。
【００７２】
（実施形態２の変形例）
次に、実施形態２の変形例について説明する。図７は、実施形態２の変形例における投影装置１０のタイミング信号ａ１と照度センサ９０の出力のタイムチャートを示す図である。照度センサ９０から照度値Ｖ１，Ｖ２，Ｖ３を取得するタイミングＴ１２，Ｔ１４，Ｔ１６は実施形態１と同様に、タイミング信号ａ１を基に決定される。
【００７３】
検出部２７は、図６のステップＳ２０５ｂにおいて、フレーム内の照度値の全てが照度センサ９０の出力の最大値（Ｍａｘ値）ＶＭａｘであるか判定を行うようにしてもよい。この場合、検出部２７は、フレーム内の照度値が全て最大値ＶＭａｘでない場合（Ｓ２０５ｂ，Ｎ）ステップＳ２０１の処理に戻り、フレーム内の照度値が全て最大値ＶＭａｘである場合（Ｓ２０５ｂ，Ｙ）ステップＳ２０６の処理に進む。
【００７４】
本実施形態の照度値Ｖ１，Ｖ２，Ｖ３は、赤色波長帯域光Ｌ１、緑色波長帯域光Ｌ２及び青色波長帯域光Ｌ３のうち、緑色波長帯域光Ｌ２が最も大きい値を示す。そこで、緑色波長帯域光Ｌ２の出射時に照度センサ９０が出力する照度値Ｖ２の最大値ＶＭａｘと略同じか最大値ＶＭａｘより低くなるように照度センサ９０の出力を予め調整しておく。図７では、緑色波長帯域光Ｌ２の照度値Ｖ２は最大値ＶＭａｘより低く設定されている。そして、赤色波長帯域光Ｌ１、緑色波長帯域光Ｌ２及び青色波長帯域光Ｌ３のいずれも最大値ＶＭａｘより低いため（Ｓ２０５ｂ，Ｎ）、検出部２７は光源装置６０が異常状態でないと判定してステップＳ２０１の処理に戻る。
【００７５】
以上、本実施形態では、照度センサ９０の照度値が常に閾値Ｖｒｅｆより大きいか最大値ＶＭａｘの場合であっても、光源装置６０が異常状態であると判定する。照度センサ９０の出力端子をショートさせると、照度値Ｖ１，Ｖ２，Ｖ３を閾値Ｖｒｅｆより高くすることができる場合があり、実施形態１のステップＳ２０５のみの判定では異常状態ではないと判定されてしまうが、本実施形態ではステップＳ２０５ｂにより異常判定を正しく行うことができ、判定結果が欺かれることを防ぐことができる。このように、簡易な構成で光源装置６０の異常を検出することができる。
【００７６】
（実施形態３）
次に、実施形態３について説明する。図８は、本実施形態の投影装置１０のシーケンスを示す図である。本実施形態では、図４に示したステップＳ２０５の処理の代わりに、ステップＳ２０５ｃ及びステップＳ２０５ｄの処理を行う。なお、本実施形態の説明において、実施形態１と同様の構成については、同一の符号を付し、その説明を省略又は簡略化する。また、投影装置１０のタイミング信号ａ１と照度センサ９０の出力のタイムチャートについては実施形態１に示した図５と同様である。
【００７７】
ステップＳ２０５ｃで、検出部２７は、１フレーム内の照度値の全てが、実施形態１の図５に示す閾値Ｖｒｅｆ未満であるか判定する。検出部２７は、照度値の全てが閾値未満である場合（Ｓ２０５ｃ，Ｙ）、ステップＳ２０６の処理に進み、照度値の全てが閾値未満でない場合（Ｓ２０５ｃ，Ｎ）、ステップＳ２０５ｄの処理に進む。
【００７８】
ステップＳ２０５ｄで、検出部２７は、フレーム内に出射される光の照度値の大小パターンと、記憶部３２内に予め記憶した判定パターンとを比較して、一致するか判定する。検出部２７は、フレーム内の照度と判定パターンとが一致する場合（ステップＳ２０５ｄ，Ｙ）、ステップＳ２０１の処理に戻り、フレーム内の照度と判定パターンとが一致しない場合（ステップＳ２０５ｄ，Ｎ）、ステップＳ２０６の処理に進む。
【００７９】
本実施形態では、図５に示したように、赤色波長帯域光Ｌ１、緑色波長帯域光Ｌ２及び青色波長帯域光Ｌ３で照度値Ｖ１，Ｖ２，Ｖ３が異なることを利用して異常判定を行っている。照度値Ｖ１，Ｖ２，Ｖ３の大きさは、正常時では赤色波長帯域光Ｌ１、緑色波長帯域光Ｌ２及び青色波長帯域光Ｌ３の順に、一つのフレームＦ１内で小→大→中と繰り返される。したがって、この値の繰り返しパターンを判定パターンとして予めステップＳ２０５ｄで行う異常判定用に記憶部３２に記憶させておき、ステップＳ２０２で取得した照度値Ｖ１，Ｖ２，Ｖ３と比較することにより異常判定を行うことができる。
【００８０】
例えば、記憶部３２には、予め照度値Ｖ１，Ｖ２，Ｖ３の判定パターンを小→大→中と記憶しておく。図５では、フレームＦ１内の照度値Ｖ１，Ｖ２，Ｖ３の全てが閾値Ｖｒｅｆ未満ではなく（Ｓ２０５ｃ，Ｎ）、照度値Ｖ１，Ｖ２，Ｖ３のパターンが判定パターンである小→大→中と一致するため（Ｓ２０５ｄ，Ｙ）、検出部２７は光源装置６０が異常状態ではないと判定してステップＳ２０１の処理に戻る。
【００８１】
なお、実施形態３のパターンによるステップＳ２０５ｄの判定は、実施形態２のステップＳ２０５ｂの処理の前又は後に組み合わせて行ってもよい。
【００８２】
また、実施形態１〜３で、モードや投影装置１０の仕様により、４種類以上の波長帯域の光を４つ以上のセグメント期間に時分割して出射する光源装置６０としてもよい。例えば、４分割の場合、光源装置６０は赤色波長帯域光、緑色波長帯域光、青色波長帯域光及び黄色波長帯域光を光源光として出射することができる。また、６分割の場合、光源装置６０は赤色波長帯域光、緑色波長帯域光、青色波長帯域光、シアン色波長帯域光、マゼンタ色波長帯域光及び黄色波長帯域光を光源光として出射することができる。
【００８３】
また、最も照度値の大きい緑色波長帯域光の照度値Ｖ２のみにより判定することもでき、ステップＳ２０５において、検出部２７は、照度値Ｖ１が予め定めた閾値Ｖｒｅｆ未満でないと判定した場合にステップＳ２０１の処理に進み、照度値Ｖ１が閾値Ｖｒｅｆ未満と判定した場合にステップＳ２０６の処理に進む構成とすることができる。
【００８４】
また、青色波長帯域光や緑色波長帯域光の光源であるレーザ光源（青色レーザダイオード７１）が異常である場合のみの識別を想定する場合において、構造制約上、照度センサ９０を赤色波長帯域光の受光可能な位置にのみ設置可能である場合であっても、赤色波長帯域光を遮光するテープ等の部材を追加することで照度センサ９０に赤色波長帯域光が入射しない構成とすることができる。これにより、赤色波長帯域光を完全に遮光できなくても、閾値Ｖｒｅｆの調整やパターン比較により、実施形態１〜実施形態３の処理を実施することができる。
【００８５】
また、光源装置６０の経年劣化を考慮して、投影時間ごとに所定の閾値を設定しておくことで、誤判定によって通常動作中に光源が停止することを防ぎ、利便性を保つことができる。例えば、閾値は、徐々に低くなるように経時変化する値とすることができる。
【００８６】
また、照度センサ９０を設置させる場所として、図３に示したように、赤色波長帯域光、緑色波長帯域光及び青色波長帯域光の光路上に設けたが、赤色波長帯域光が入射されない場所に設置してもよい。これにより、投影装置１０の危険度が大きい光源（例えば本実施形態の青色レーザダイオード７１から出射される青色波長帯域光や、この青色波長帯域光により励起された緑色波長帯域光）の光が投影装置１０外部に照射されるなどの異常状態を識別することができる。この場合であっても、各実施形態に示した異常検出方法を適用することができる。
【００８７】
以上、説明した投影装置１０は、フレーム内で時分割された各セグメント期間に光を出射する光源部から出射される光の照度値を取得する照度値取得手段と、フレーム内における各セグメント期間の照度値の全てが閾値未満である場合に、光源部を異常状態であると検出する検出手段と、を備える。
【００８８】
よって、従来発生する可能性のあった、照度センサ９０の出力端子の改造による騙しやこれによる光源装置６０の取り外し等の光源装置６０の不正な使用を防ぐことができる。また、照度センサ９０側のゲイン調整などに係る工数を大きく削減することができる。また、すべての光源を照度センサ９０に照射する必要がなく、実装上の制約を緩和することができる。
【００８９】
また、照度センサ９０に照射する光と照射されない光とを予め分けておくことで、１フレーム中に照度が閾値Ｖｒｅｆ以上になる期間と閾値Ｖｒｅｆ未満になる期間とを意図的に作り出して、光源装置６０内の光学部材等の取り外しやずれ等の異常を的確に検出することができる。
【００９０】
また、検出部２７では実際にどの色が点灯しているかを検出する必要が無く、照度センサ９０を設置する場所に自由度があり、赤色波長帯域光Ｌ１を受光できない場所でも設置可能である。正常時における照度値Ｖ１が最も低いセグメント期間Ｐ１１に出射される赤色波長帯域光Ｌ１の受光ができない照度センサ９０の配置構成や、照度センサ９０の直前に赤色波長帯域光Ｌ１を遮光するテープ等の部材を追加等して閾値の設定変更をする構成であっても、照度センサ９０の配置に依存することなく各実施形態に示した判定アルゴリズムを流用することができる。
【００９１】
よって、簡易な構成で、光源装置６０や投影装置１０に異常が発生した場合に光源装置６０を停止することができ、安全性を向上させることができる。
【００９２】
また、検出手段により、照度値の全てが閾値Ｖｒｅｆ以上である場合に、光源部を異常状態と判定する異常検出装置は、負荷の少ない判定処理により、光源装置６０の異常を検出することができる。
【００９３】
また、検出手段により、照度値の全てが、閾値Ｖｒｅｆより大きく、且つ照度値取得手段の出力の最大値ＶＭａｘである場合に、光源部を異常状態と判定する異常検出装置は、タイミング信号ａ１に同期しない方法で照度センサ９０の出力値を騙すことが困難であるため、異常判定を容易に行うことができる。
【００９４】
また、検出手段により、複数の照度値のパターンが、予め定めた判定パターンと異なる場合に、光源部を異常状態と判定する異常検出装置は、照度センサ９０の出力端子の改変をして照度値を騙すことを困難にすることができる。
【００９５】
また、閾値が徐々に低くなるように経時変化する異常検出装置は、誤判定によって通常動作中に光源が停止することを防ぎ、利便性を保つことができる。
【００９６】
また、検出手段が光源部を異常状態と判定した場合に光源部の動作を停止させる異常検出装置は、光源装置６０の安全性を確保することができる。
【００９７】
また、照度値取得手段が、フレームに含まれる全てのセグメント期間に出射される光を受光可能な位置に配置される、又は、フレームに含まれるセグメント期間に出射される光のうち正常時において最も低い照度値の光が受光されない位置に配置される異常検出装置は、設計の自由度を高いものとすることができる。
【００９８】
また、照度値取得手段がフレームに含まれるセグメント期間に出射される光のうち正常時において最も低い照度値Ｖ１の赤色波長帯域光Ｌ１が受光されない位置に配置される異常検出装置は、光源装置６０の設計自由度を高くすることができる。
【００９９】
また、光源部が赤色光源装置１２０、緑色光源装置８０及び青色光源装置を含み、検出手段がフレーム中に時分割された３つのセグメント期間に赤色波長帯域光、緑色波長帯域光及び青色波長帯域光の照度値Ｖ１，Ｖ２，Ｖ３を取得する、異常検出装置は、カラー画像の表示を可能としつつ異常判定及び異常検出を可能とすることができる。
【０１００】
また、光源装置６０の異常検出方法は、光源装置６０が、フレーム内で時分割されたセグメント期間Ｐ１１，Ｐ１２，Ｐ１３毎に光を出射する発光手段と、発光手段から出射される光の照度値Ｖ１，Ｖ２，Ｖ３を照度センサ９０により取得し、フレーム内におけるセグメント期間の照度値の全てが閾値Ｖｒｅｆ未満である場合に、光源装置６０を異常状態であると検出する検出手段と、を備える。また、異常検出装置が実行するプログラムは、検出部２７が、フレーム内で時分割された各セグメント期間に光源部により出射された光の照度値を取得する照度値取得手段、及び、フレーム内における各セグメント期間に取得された照度値の全てが閾値未満である場合に、光源部を異常状態として検出する検出手段、としての機能を実行する。
【０１０１】
そのため簡易な構成で、光源装置６０や投影装置１０に異常が発生した場合に光源装置６０を停止することができ、安全性を向上させることができる。
【０１０２】
なお、以上説明した実施形態は、例として提示したものであり、発明の範囲を限定することは意図していない。これら新規な実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【０１０３】
以下に、本願出願の最初の特許請求の範囲に記載された発明を付記する。
［１］  フレーム内で時分割された各セグメント期間に光を出射する光源部から出射される光の照度値を取得する照度値取得手段と、
前記フレーム内における前記各セグメント期間に取得された前記照度値の全てが閾値未満である場合に、前記光源部を異常状態であると検出する検出手段と、
を備えることを特徴とする異常検出装置。
［２］  前記照度値取得手段は、照度センサを含む、ことを特徴とする上記［１］に記載の異常検出装置。
［３］  前記検出手段は、前記照度値の全てが前記閾値以上である場合に、前記光源部を異常状態と判定することを特徴とする上記［１］又は上記［２］に記載の異常検出装置。
［４］  前記検出手段は、前記照度値の全てが、前記閾値より大きく、且つ前記照度値取得手段の出力の最大値である場合に、前記光源部を異常状態と判定することを特徴とする上記［１］乃至上記［３］の何れか１項に記載の異常検出装置。
［５］  前記検出手段は、複数の前記照度値のパターンが、予め定めた判定パターンと異なる場合に、前記光源部を異常状態と判定することを特徴とする上記［１］乃至上記［４］の何れかに記載の異常検出装置。
［６］  前記閾値は、徐々に低くなるように経時変化することを特徴とする上記［１］乃至上記［５］の何れかに記載の異常検出装置。
［７］  前記検出手段は、前記光源部を異常状態と判定した場合に前記光源部の動作を停止させることを特徴とする上記［１］乃至上記［６］の何れかに記載の異常検出装置。
［８］  前記照度値取得手段は、前記フレームに含まれる全ての前記セグメント期間に出射される光を受光可能な位置に配置される、又は、前記フレームに含まれる前記セグメント期間に出射される光のうち正常時において最も低い前記照度値の光が受光されない位置に配置されることを特徴とする上記［１］乃至上記［７］の何れかに記載の異常検出装置。
［９］  前記光源部は、赤色波長帯域光を出射する赤色光源装置と、緑色波長帯域光を出射する緑色光源装置と、青色波長帯域光を出射する青色光源装置とを備え、
前記照度値取得手段は、前記フレームに含まれる前記セグメント期間に出射される光のうち正常時において最も低い前記照度値の前記赤色波長帯域光が受光されない位置に配置される、
ことを特徴とする上記［８］に記載の異常検出装置。
［１０］  前記光源部は、前記照度値が小さい赤色波長帯域光を出射する赤色光源装置と、前記照度値が前記赤色波長帯域光より大きい青色波長帯域光をレーザとして出射する青色光源装置と、前記照度値が前記青色波長帯域光より大きい緑色波長帯域光を前記レーザにより励起された蛍光光として出射する緑色光源装置と、を含み、
前記検出手段は、前記フレーム中に時分割された前記セグメント期間に、前記赤色波長帯域光、前記緑色波長帯域光及び前記青色波長帯域光の前記照度値を取得する、
ことを特徴とする上記［１］乃至上記［８］の何れかに記載の異常検出装置。
［１１］  上記［１］乃至上記［１０］の何れか記載の異常検出装置と、
前記異常検出装置からの光源光が照射され、画像光を形成する表示素子と、
前記表示素子から出射された前記画像光をスクリーンに投影する投影側光学系と、
前記表示素子と前記異常検出装置を制御する制御部と、
を有することを特徴とする投影装置。
［１２］  光源装置の異常検出方法であって、
前記光源装置は、
フレーム内で時分割された各セグメント期間に光を出射する発光手段と、
前記発光手段から出射される光の照度値をセンサにより取得し、前記フレーム内における前記各セグメント期間の前記照度値の全てが閾値未満である場合に、前記光源装置を異常状態であると検出する検出手段と、
を備えることを特徴とする異常検出方法。
［１３］  異常検出装置が実行するプログラムであって、
フレーム内で時分割された各セグメント期間に光源部により出射された光の照度値を取得する照度値取得手段、及び、
前記フレーム内における前記各セグメント期間に取得された前記照度値の全てが閾値未満である場合に、前記光源部を異常状態として検出する検出手段、
としての機能を実行することを特徴とするプログラム。
【符号の説明】
【０１０４】
１０        投影装置                        １１        上面パネル
１２        正面パネル                      １３        背面パネル
１４        右側パネル                      １５        左側パネル
１７        排気孔                          １８        吸気孔
１９        レンズカバー                    ２０        端子
２１        入出力コネクタ部                ２２        入出力インターフェース
２３        画像変換部                      ２４        表示エンコーダ
２５        ビデオＲＡＭ                    ２６        表示駆動部
２７        検出部                          ３１        画像圧縮／伸長部
３２        記憶部                          ３５        Ｉｒ受信部
３６        Ｉｒ処理部                      ３７        キー／インジケータ部
３８        制御部                          ４１        光源制御部
４３        冷却ファン駆動制御回路          ４５        レンズモータ
４７        音声処理部                      ４８        スピーカ
５１        表示素子                        ６０        光源装置
７０        励起光照射装置                  ７１        青色レーザダイオード
７３        コリメータレンズ                ７５        反射ミラー群
８０        緑色光源装置                    ８１        ヒートシンク
９０        照度センサ                      １００      蛍光ホイール装置
１０１      蛍光体ホイール                  １１０      モータ
１１１      集光レンズ群                    １１５      集光レンズ
１２０      赤色光源装置                    １２１      赤色光源
１２５      集光レンズ群                    １３０      ヒートシンク
１４０      導光光学系                      １４１      第一ダイクロイックミラー
１４３      第一反射ミラー                  １４５      第二反射ミラー
１４６      集光レンズ                      １４７      集光レンズ
１４８      第二ダイクロイックミラー        １４９      集光レンズ
１７０      光源側光学系                    １７３      集光レンズ
１７５      ライトトンネル                  １７８      集光レンズ
１８１      光軸変換ミラー                  １８３      集光レンズ
１８５      照射ミラー                      １９０      ヒートシンク
１９５      コンデンサレンズ                ２２０      投影側光学系
２２５      固定レンズ群                    ２３５      可動レンズ群
２４１      制御回路基板                    ２６１      冷却ファン
Ｆ１，Ｆ２  フレーム                        Ｌ１        赤色波長帯域光
Ｌ２          緑色波長帯域光                Ｌ３        青色波長帯域光
Ｐ１１〜Ｐ１３  セグメント期間              Ｔ１１〜Ｔ１６  タイミング
Ｔ２１〜Ｔ２６  タイミング
Ｖ１〜Ｖ３    照度値                        ＶＭａｘ    最大値
Ｖｒｅｆ      閾値                          ａ１（ａ１１，ａ１２）タイミング信号
ａ２        異常判定結果                    ａ３        光源停止指示
【図１】
2019120811.tif 000003
【図２】
2019120811.tif 000004
【図３】
2019120811.tif 000005
【図４】
2019120811.tif 000006
【図５】
2019120811.tif 000007
【図６】
2019120811.tif 000008
【図７】
2019120811.tif 000009
【図８】
2019120811.tif 000010